(57)【要約】【課題】  モードを変えることなしに動画撮影中に特定のフレームだけ高解像度に記録できる電子カメラを提供する。【解決手段】  撮像手段を用いて通常の解像度で動画像データをメモリカードに記録しているときに、高解像度モードボタンによって、記録する画像を高解像度にする指示を画像解像度変換手段に与えると、画像解像度変換手段が通常の動画像よりも高解像度な画像をメモリカードに記録する。【選択図】  図４
2005117114.tif 000002
【特許請求の範囲】
【請求項１】
撮像手段を用いて動画像データを得、記録手段に前記動画像データを記録する電子カメラであって、
動画像データを記録しているときに通常の動画像よりも高精細な画像を記録する画像精細度変換手段と、
記録する画像を高精細にする指示を前記画像精細度変換手段に与える画像精細度変換指示手段と、からなる電子カメラ。
【請求項２】
前記画像精細度変換指示手段は記録する画像の解像度を高くする指示を前記画像精細度変換手段に与え、前記画像精細度変換指示手段からの指示を受けると前記画像精細度変換手段は通常の動画像の解像度よりも高い解像度で画像を記録する請求項１の電子カメラ。
【請求項３】
前記画像精細度変換指示手段は撮像中の画像の記録時の圧縮形態を変更する指示を前記画像精細度変換手段に与え、前記画像精細度変換指示手段からの指示を受けると前記画像精細度変換手段は撮像中の画像の記録時の圧縮形態を変えて画像を記録する請求項１又は２の電子カメラ。
【請求項４】
前記画像精細度変換指示手段は撮像中の画像の記録時の圧縮形態をＭＰＥＧからモーションＪＰＥＧに変更する指示を前記画像精細度変換手段に与え、前記画像精細度変換指示手段からの指示を受けると前記画像精細度変換手段は撮像中の画像の記録時の圧縮形態をＭＰＥＧからモーションＪＰＥＧに変えて画像を記録する請求項３の電子カメラ。
【請求項５】
通常の解像度で記録された動画像と通常の解像度よりも高い解像度で記録された動画像とが混在する動画像データを処理する動画像データ処理システムであって、
動画像データから前記高い解像度で記録された動画像を静止画に分解して抜き出す高解像度画像抜き出し手段と、
抜き出した高解像度静止画画像を他の動画像と同じ解像度をもつ静止画画像に変換して均一な解像度をもつ動画像データを生成する画像解像度均一化手段と、からなる動画像データ処理システム。
【発明の詳細な説明】
【技術分野】
【０００１】
本発明は、電子カメラ及び動画像データ処理システムに係り、特に、動画像を撮像することができるデジタルカメラやビデオカメラなどの電子カメラ、及び電子カメラなどで生成された動画像データを扱いやすいように処理する動画像データ処理システムに関する。
【背景技術】
【０００２】
デジタルカメラやビデオカメラで動画を撮影中に同一機で静止画を撮影したいという要求が大きい。しかし、通常、動画は静止画よりも１フレーム当たりの解像度が低いため、動画中の１フレームを静止画としてＬＣＤ表示やプリントをするとその低い解像度のために鑑賞に耐えられるほどの画像は得られないことが多い。
【０００３】
同一機で撮影する際に静止画の解像度を上げるために、下記特許文献１では動画と静止画を一連の撮影で含ませる発明を提案しており、動画をインターレススキャン撮影するのに対し、静止画は全画素読み出し撮影するようにして静止画の画質をアップさせようとしているが、これは撮影時に動画モードと静止画モードとを区別して撮影するものであり、さらには動画モードと静止画モードとを変える際の操作者の操作については言及がない。
【０００４】
さらに最近では、動画撮影中にその動画の一部を静止画として保存させたいニーズが大きくなっており、その際にその都度動画モードを静止画モードに変える操作はしたくないと思うユーザが多い。すなわち、モードを変えることなしに動画撮影中に特定のフレームだけ高精細に記録する機能が求められている。
【特許文献１】特開平８−２８９２３９号公報
【発明の開示】
【発明が解決しようとする課題】
【０００５】
本発明は、上記の事実を考慮し、モードを変えることなしに動画撮影中に特定のフレームだけ高精細に記録できる電子カメラを提供することを目的とする。
【課題を解決するための手段】
【０００６】
請求項１の本発明は、撮像手段を用いて動画像データを得、記録手段に前記動画像データを記録する電子カメラであって、
動画像データを記録しているときに通常の動画像よりも高精細な画像を記録する画像精細度変換手段と、
記録する画像を高精細にする指示を前記画像精細度変換手段に与える画像精細度変換指示手段と、からなる電子カメラ、からなる。
【０００７】
請求項１の本発明によれば、撮像手段を用いて通常の精細度で動画像データを記録手段に記録しているときに、画像精細度変換指示手段によって、記録する画像を高精細にする指示を前記画像精細度変換手段に与えると、画像精細度変換手段が通常の動画像よりも高精細な画像を記録手段に記録する。これによって、動画撮影中に高精細な静止画を得ることができる。
【０００８】
記録する画像を高精細にする方法としては、画像の解像度を高くする方法がある。
【０００９】
請求項５の本発明は、通常の解像度で記録された動画像と通常の解像度よりも高い解像度で記録された動画像とが混在する動画像データを処理する動画像データ処理システムであって、  
動画像データから前記高い解像度で記録された動画像を静止画に分解して抜き出す高解像度画像抜き出し手段と、
抜き出した高解像度静止画画像を他の動画像と同じ解像度をもつ静止画画像に変換して均一な解像度をもつ動画像データを生成する画像解像度均一化手段と、からなる動画像データ処理システム、からなる。
【００１０】
請求項５の本発明によれば、通常の解像度で記録された動画像と通常の解像度よりも高い解像度で記録された動画像とが混在する動画像データにおいて、高解像度画像抜き出し手段が前記高い解像度で記録された動画像を静止画に分解して抜き出し、画像解像度均一化手段が、抜き出した高解像度静止画画像を他の動画像と同じ解像度をもつ静止画画像に変換して均一な解像度をもつ動画像データを生成する。これにより、通常の解像度で記録された動画像と通常の解像度よりも高い解像度で記録された動画像とが混在する動画像データは、均一な解像度をもつ動画像データになるので、動画を再生したときに見やすくなる。
【発明の効果】
【００１１】
請求項１の本発明によれば、静止画として記録したい画像を動画撮影中でも撮ることができ、欲しい静止画をプリントしたときなどに鑑賞するに値する高精細なもので得ることができる。
【００１２】
請求項５の本発明によれば、均一な解像度をもつ動画像データになる結果、動画を再生したときに鑑賞しやすくなる。
【発明を実施するための最良の形態】
【００１３】
以下、添付図面に従って本発明の実施の形態を詳説する。
【００１４】
図１は本実施の形態に係るデジタルカメラ２の背面斜視図である。
【００１５】
このカメラ２は、静止画・動画の記録・再生が可能であり、さらに無線通信可能なデジタルカメラである。カメラ２前面には、沈胴式のズームレンズからなる撮影レンズ、光学ファインダー、ストロボユニット（いずれも図示せず）が設けられている。撮影レンズの後方には撮像素子としてのＣＣＤイメージセンサ（図１中不図示、図３中３６で図示、以下「ＣＣＤ」という）が配置されている。
【００１６】
カメラ２の上面には、無線通信用のアンテナ４、レリーズボタン１２、モード設定ダイヤル１４が設けられている。レリーズボタン１２は、合焦箇所の入手を指示したり画像記録開始を指示したりする手段である。レリーズボタン１２は、半押しでスイッチＳ１がオン（焦点合わせ等の撮影準備）、全押しでスイッチＳ２がオン（レリーズ）となる操作部材である。モード設定ダイヤル１４は、図２に示すように、静止画撮影モード（Ｃａｍ）、動画撮影（ムービー）モード（Ｍｏｖ）、セットアップモード（Ｓｅｔｕｐ）、再生モード（Ｐｌａｙ）、無線通信モード（Ｗｉｒｅｌｅｓｓ）を選択するためのダイヤルである。このモード設定ダイヤル１４の構成により、モードとして静止画撮影、動画撮影、無線通信は独立した構成となっている。すなわち、静止画撮影、動画撮影、無線通信は基本的にどれかしか選択できないようになっている。
【００１７】
カメラ２の一方の側面には、メモリカードスロット９２が設けられている。メモリカードスロット９２は、スリット状に形成された挿入口で、カメラ２内へメモリカード９４（記録媒体）を挿入するためのものである。
【００１８】
カメラ２の裏面には、光学ファインダー８、電源スイッチ６、モニタ表示部１０、上下左右キー１８、メニューボタン２０、実行ボタン２２、キャンセルボタン２４、高解像度モードボタン１００が設けられている。
【００１９】
電源スイッチ６は、電源ＯＮ／ＯＦＦ手段である。
【００２０】
上下左右キー１８は、メニュー選択の際に押圧することによって上下左右に選択肢を動かすためのものである。
【００２１】
メニューボタン２０は、撮影系モードが選択されている場合には、押すことによって人物（ポートレート）メニュー、風景メニュー、夜景メニュー、モノクロメニューなどの各種メニューを表示させることができる。
【００２２】
実行ボタン２２は表示したメニューを選択実行するためのボタンである。
【００２３】
キャンセルボタン２４は、選択を取り消すためのボタンである。
【００２４】
高解像度モードボタン１００は、動画撮影中に動画よりも解像度が高い静止画を撮影したい場合に、このボタンを押している間、高解像度の静止画からなる動画が撮影できる。
【００２５】
モニタ表示部１０はカラー液晶表示になっており、ＣＣＤ３６を介して取り込まれる画像やメモリカード９４から読み出した再生画像が表示されると共に、モード情報、電池残量警告、撮影日時、標準撮影可能枚数、再生コマ番号、高画質モード作動中などの各種情報も表示される。各種のメニュー表示、メニューの選択や各メニューにおける各種設定項目の設定等もモニタ表示部１０の表示画面を用いて行われる。
【００２６】
図３は本実施の形態のデジタルカメラ２の構成を示すブロック図である。
【００２７】
図３において、信号処理部４４、タイミングジェネレータ４２、Ａ／Ｄ変換部４６、ストロボ充電／制御部４０、圧縮／伸張部４８、カレンダ・時計部５０、フレームメモリ５２、オンスクリーンディスプレイ６０、モータドライバ６２、ＣＰＵ７６、システムメモリ７８、不揮発性メモリ８０、タイマ８２、無線通信モジュール８４、Ｉ／Ｏインターフェース８６、カードインターフェース９０は、バス２７を介して接続されている。
【００２８】
撮影部２６には、ズームレンズ２９、シャッタ３１、アイリス絞り３３、フォーカスレンズ３５、ＣＣＤ３６が配設されており、さらにズームレンズ２９を駆動するズームモータ２８、シャッタ３１を駆動するシャッタモータ３０、アイリス絞り３３を駆動するアイリスモータ３２、フォーカスレンズ３５を駆動するフォーカスモータ３４が備えられている。これら各モータ２８、３０、３２、３４を駆動するモータドライバ６２は、ＣＰＵ７６の制御信号により制御される。光学ユニット２９、３１、３３、３５の後方にＣＣＤ３６が配置される。
【００２９】
ズームレンズ２９、シャッタ３１を通過した光は、アイリス絞り３３により光量が調節された後、フォーカスレンズ３５を通過してＣＣＤ３６に入射する。ＣＣＤ３６の受光面には、フォトセンサが平面的に配列されており、ＣＣＤ３６の受光面に結像された被写体像は、各フォトセンサによって入射光量に応じた量の信号電荷に変換される。このようにして蓄積された信号電荷は、タイミングジェネレータ４２から供給されるパルスによって、信号電荷に応じた電圧信号として順次読み出される。
【００３０】
ＣＣＤ３６は、各フォトセンサの電荷蓄積時間（シャッタースピード）をシャッターゲートパルスによって制御する、いわゆる電子シャッター機能を有している。アイリス絞り３３とＣＣＤ３６の電子シャッターの組み合わせによって露光制御され、ＣＣＤ３６から出力された画像信号は、信号処理部４４において信号処理される。
【００３１】
信号処理部４４は、色分離、ゲイン切換え、γ（ガンマ）処理などの各処理回路を含む。信号処理された後、画像信号はＡ／Ｄ変換部４６においてＡ／Ｄ変換される。信号処理、Ａ／Ｄ変換はタイミングジェネレータ４２から供給されるパルスによって動作する。Ａ／Ｄ変換された画像信号は、ＣＰＵ７６によって入力画像信号のレベルが検出され、被写体の輝度情報が取得されて、被写体の合焦状態も検出される。
【００３２】
その後、ＣＰＵ７６は、画像信号を、輝度・色差信号生成、シャープネス補正（輪郭補正）、ホワイトバランス補正、ガンマ補正し、輝度信号（Ｙ信号）及び色差信号（Ｃｒ、Ｃｂ信号）に変換し、システムメモリ７８に格納する。
【００３３】
システムメモリ７８に格納された画像データは、ＣＰＵ７６の指令にしたがって読み出され、フレームメモリ５２に格納されてＬＣＤ（液晶ディスプレイ）制御部５４において表示用の所定方式の信号（例えば、ＮＴＳＣ方式のカラー複合映像信号）に変換される。ＬＣＤ制御部５４では、ＯＳＤ（オンスクリーンディスプレイ）６０からの文字情報を統合する。その後、表示用の信号はＬＣＤ５８に出力され、バックライト５６が点灯してＬＣＤ５８に表示される。
【００３４】
動画撮影の際は、ＣＣＤ３６から出力される画像信号によってシステムメモリ７８のデータが定期的に書き換えられ、その画像データから生成される映像信号がＬＣＤ５８に供給されることにより、ＣＣＤ３６で捉える画像がリアルタイムに動画像として、またはリアルタイムではないが、ほぼ連続した画像としてＬＣＤ５８に表示される。
【００３５】
撮影時は、スイッチ／ＬＥＤ等８８の一部であるレリーズボタン１２の押し下げ動作により、記録開始指示信号が発せられ、Ｉ／Ｏインターフェース８６において該指示信号が受け入れされ、その指示信号に呼応して、記録用の画像データの取り込みが開始される。レリーズボタン１２の押し下げに応動する撮影動作によって、システムメモリ７８に取り込まれた画像信号は、圧縮／伸張部４８において、ＣＰＵ７６からのコマンドにしたがって圧縮処理される。圧縮処理された画像信号は、カードインターフェース９０からメモリカード９４に記録される。メモリカード９４はメモリカードスロット９２に差し込まれて所定場所に位置づけられる。
【００３６】
再生モード時には、メモリカード９４から読み出された画像データが圧縮／伸張部４８によって伸張処理され、ＬＣＤ５８に出力される。
【００３７】
記録メディアの形態は、メモリカードに限定されず、ＰＣカード、コンパクトフラッシュ、磁気ディスク、光ディスク、光磁気ディスク、メモリスティックなどでもよく、電子的、磁気的、若しくは光学的、又はこれらの組合せによる方式に従って読み書き可能な種々の媒体を用いることができる。使用される媒体に応じた信号処理手段とインターフェースが適用される。異種、同種の記録メディアを問わず、複数の媒体をカメラ２に装着可能な構成にしてもよい。また、画像データを保存する手段は、カメラ本体から分離可能なリムーバブルメディアに限らず、カメラ２に内蔵された記録媒体（内部メモリ）、すなわち本形態ではシステムメモリ７８であってもよい。
【００３８】
高解像度モードボタン１００は、コントローラ１０２に接続しており、コントローラ１０２は解像度変換部１０４に接続している。解像度変換部１０４は、圧縮／伸張部４８に接続している。ユーザが高解像度モードボタン１００を押すと、コントローラ１０２が解像度変換部１０４をコントロールし、解像度変換部１０４は圧縮／伸張部４８に格納されてきたデータを高解像度に出力できるように圧縮調整する。すなわち、高解像度で出力するときには圧縮時のデータ間引きを少なくする。
【００３９】
カメラ２には、画像・文字データをパソコンその他の外部機器に無線で転送するための無線通信モジュール８４及び無線通信モジュール８４に接続されたアンテナ４が設けられる。画像・文字データを外部機器に無線で送信するときは、モード設定ダイヤル１４をWirelessに合わせて、システムメモリ７８又はメモリカード９４から送信しようとする画像（文字）データを読み出し、送信する。無線通信モジュール８４は、ＣＰＵ７６からデータの送受が可能になっており、ＣＰＵ７６からバス２７を介したコマンドによりスリープが可能であり、スリープの状態では、モータ２８、３０、３２、３４の消費電流に対し無視可能な電流値となる。
【００４０】
ＣＰＵ７６は本カメラシステムの各回路を統括制御する制御部である。システムメモリ７８はＲＯＭ及びＲＡＭの記憶手段を備え、ＲＯＭにはＣＰＵ７６が処理するプログラム及び制御に必要な各種データ等が格納され、ＲＡＭはＣＰＵ７６が各種の演算処理等を行う際の作業用エリアとして利用される。ＣＰＵ７６は、スイッチ／ＬＥＤ等８８、高解像度モードボタン１００から受入する入力信号に基づき、対応する回路の動作を制御するとともに、ＬＣＤ５８の表示制御、ＡＦ（オートフォーカス）制御、ＡＥ（オートエクスポージャー：自動露出）制御、圧縮／伸張処理等を行う。
【００４１】
ＣＰＵ７６は、ＡＦ評価値の演算やＡＥ演算などの各種演算を行い、その演算結果に基づいてモータドライバ６２を制御してフォーカスモータ３４を合焦位置に移動させるとともに、アイリスモータ３２を制御して適正な絞りに設定し、かつＣＣＤ３６の電荷蓄積時間を制御する。
【００４２】
スイッチ／ＬＥＤ等８８は、レリーズボタン１２、モード設定ダイヤル１４、上下左右キー１８などの指示入力手段を含むブロックであり、画像記録時の画素数を指定する手段、電子ズーム機能のＯＮ／ＯＦＦを切り替える手段、電子ズームの拡大率を操作する手段などを含む。
【００４３】
バス２７にはストロボ充電／制御部４０が接続され、ストロボ充電／制御部４０にはストロボ３８が接続されていて、ストロボ３８使用時にはストロボ充電／制御部４０がストロボ３８の作動を制御する。
【００４４】
バス２７には、カレンダ・時計５０、不揮発性メモリ８０、タイマ８２が接続されている。カレンダ・時計５０は日付・時間を記録し、不揮発性メモリ８０にはカメラ２の機器情報が格納され、タイマ８２はタイマ撮影をするためのものである。
【００４５】
電源について説明する。電源はバッテリ６４から供給されるが、バッテリ６４からの電力はスイッチングレギュレータにより安定化される。スイッチングレギュレータは５個存在し、第１スイッチングレギュレータ６６、第２スイッチングレギュレータ６８、第３スイッチングレギュレータ７０、第４スイッチングレギュレータ７２、第５スイッチングレギュレータ７４がある。
【００４６】
スイッチングレギュレータは２系統に分かれており、一方の系統である第１スイッチングレギュレータ６６は大電流用でモータドライバ６２及び無線通信モジュール８４に電力を供給している。第１スイッチングレギュレータ６６の電流容量は、モータドライバ６２及び無線通信モジュール８４に必要な電力のうちの大きい方に合わせて設定されている。他方の系統はその他の電子回路に電源を供給するためのレギュレータであり、第２スイッチングレギュレータ６８、第３スイッチングレギュレータ７０、第４スイッチングレギュレータ７２、第５スイッチングレギュレータ７４からなり、これら４個のレギュレータはいずれも小電力用となっている。第２スイッチングレギュレータ６８はＬＣＤドライバに電力を供給している。第３スイッチングレギュレータ７０はＬＣＤバックライト５６に電力を供給している。第４スイッチングレギュレータ７２はアナログ回路へ電力を供給している。第５スイッチングレギュレータ７４は上述の回路以外の回路へ電力を供給している。なお、必要に応じてＣＣＤアナログ回路用の電源を別系統にしてもよい。
【００４７】
ＣＰＵ７６は第１〜第５スイッチングレギュレータ６６、６８、７０、７２、７４を制御する制御信号をこれら各レギュレータ６６〜７４に送る。ＣＰＵ７６は、静止画撮影モード（Ｃａｍ）、動画撮影（ムービー）モード（Ｍｏｖ）の場合は、無線通信モジュール８４をスリープさせておく制御を行う。無線通信モジュール８４のスリープ中の消費電流は、各モータ２８、３０、３２、３４の消費電流と比較して無視できるほど小さいため、大電流用の第１スイッチングレギュレータ６６の電源供給能力を超えることはない。したがって、無線通信モジュール８４がスリープ中は、撮影系の各モータ２８、３０、３２、３４を駆動させることができる。
【００４８】
モード設定ダイヤル１４では、無線通信モード（Wireless）と撮影系モード（静止画撮影モード、動画撮影モード）とは同時に選択できずどちらかのみ選択可能になっているので、ＣＰＵ７６は無線通信モードでは撮影動作をさせることはない。したがって、無線通信モードでは撮影系の各モータ２８、３０、３２、３４は駆動されず、電流も消費されない。ゆえに、無線通信モジュール８４を駆動しても大電流用の第１スイッチングレギュレータ６６の電源供給能力を超えることはない。
【００４９】
なお、ストロボ３８の充電回路はバッテリ６４から直接チャージされており、スイッチングレギュレータの容量には関与しない。
【００５０】
動画撮影中に高解像度モードボタン１００を押したときの動作を図４を用いて説明する。図４は、動画撮影中に高解像度モードボタン１００を押したときに記録された動画データ列を模式的に示した図である。
【００５１】
通常、動画撮影のときには、動画を構成する各フレームがＪＰＥＧ形式で圧縮符号化されたＭｏｔｉｏｎ  ＪＰＥＧの形式で動画が構成される。圧縮／伸張部４８は、動画記録のときは通常、動画をＴＶ再生に必要なデータレート、例えば、各フレーム６４０×４８０画素（ＶＧＡサイズ）を３０フィールド／秒で実現してビデオデータとして出力する（通常の動画記録モード）。ユーザが高解像度モードボタン１００を押すと解像度変換部１０４が圧縮／伸張部４８を制御して動画を高解像度画像のデータレート、例えば、各フレーム１６００×１２００画素を３０フレーム／秒で画像を出力する（高解像度記録モード）。すなわち、各フレームの静止画サイズが大きくなると共にフレームレートが短くなり、この状態でメモリカード９４に記録される。データ圧縮前のガンマ補正等の条件は通常の動画撮影のときと同じである。
【００５２】
ユーザが高解像度モードボタン１００を離すと通常の動画記録モードに戻る。高解像度記録モードは、フレーム１枚から出力可能である。
【００５３】
なお、通常の動画がＭＰＥＧ形式で出力され、ユーザが高解像度モードボタン１００を押すと解像度変換部１０４が圧縮／伸張部４８を制御してＭＰＥＧ形式で出力している状態をＭｏｔｉｏｎ  ＪＰＥＧ形式の出力状態に圧縮フォーマットに変えるようにしてもよい。
【００５４】
上記実施の形態により、静止画として記録したい画像を動画撮影中でも撮ることができ、欲しい静止画をプリントしたときなどに鑑賞するに値する高解像度なもので得ることができる。
【００５５】
次に、通常の動画記録モードと高解像度記録モードとが混在して記録媒体に記録された動画データを再生する際の動画像データ処理システムを図５、図６を用いて説明する。
【００５６】
図６は、パソコン２００のハード構成を示したブロック図である。図６に示すように、パソコン２００は、主として各構成要素の動作を制御する中央処理装置（ＣＰＵ）２１０と、装置の制御プログラムが格納されたり、プログラム実行時の作業領域となる主メモリ２１２と、パソコン２００のオペレーティングシステム（ＯＳ）、パソコン２００に接続された周辺機器のデバイスドライバを含む各種のアプリケーションソフト、ユーザの画像等が格納されるハードディスク装置２１４と、ＣＤ−ＲＯＭドライブ２１６と、表示用データを一時記憶する表示メモリ２１８と、この表示メモリ２１８からの画像データ、文字データ等により画像や文字等を表示するＣＲＴモニタや液晶モニタ等のモニタ装置２２０と、キーボード２２２と、位置入力装置としてのマウス２２４と、マウス２２４の状態を検出してモニタ装置２２０上のマウスポインタの位置やマウス２２４の状態等の信号をＣＰＵ２１０に出力するマウスコントローラ２２６と、デジタルカメラ２と接続して画像データ等の入力が可能なＵＳＢ（Universal Serial Bus）ケーブル２０６と接続するインターフェース２２７と、インターネット網と接続する通信インターフェース２０８と、上記各構成要素を接続するバス２２８とから構成されている。
【００５７】
なお、上記構成のパソコン２００は、各構成要素が周知のものであるため、各構成要素の詳細な説明については省略する。
【００５８】
通常の動画記録モードと高解像度記録モードとが混在して記録媒体に記録された動画データを再生する際のパソコン２００上での動画像データ処理システムの動作を図５を用いて説明する。図５は、動画像データ処理システムの動作の動画データ列を模式的に示した図である。
【００５９】
パソコン２００では、通常の動画記録モードと高解像度記録モードとが混在して記録媒体に記録された動画データをそのまま再生することはできない。そこで、カメラ２のメモリカード９４からパソコン２００のハードディスク装置２１４に画像データを格納させる際に、図５に示すように、Ｍｏｔｉｏｎ  ＪＰＥＧの形式で構成された動画のうち、高解像度で記録された静止画部分を抜き出し、抜き出した静止画部分を高解像度画像から通常のＴＶ再生用画像に解像度変換をして当該動画データ全体で均一のデータレートのＴＶ再生用動画データ列を生成する。このような変換プログラムが主メモリ２１２に格納されている。これにより、パソコン２００において、通常の動画記録モードと高解像度記録モードとが混在した動画データを再生することができる。
【００６０】
高解像度で記録された静止画部分とは、前述の例で言えば、高解像度記録モードである各フレーム１６００×１２００画素で３０フレーム／秒で出力された画像である。通常のＴＶ再生用画像とは、前述したとおり、各フレーム６４０×４８０画素（ＶＧＡサイズ）を３０フィールド／秒で実現した画像である。
【００６１】
上記動画像データ処理は、高解像度フレーム１枚を有する動画データから可能である。
【図面の簡単な説明】
【００６２】
【図１】デジタルカメラの背面斜視図。
【図２】モード設定ダイヤルの拡大図。
【図３】デジタルカメラの構成を示すブロック図。
【図４】動画撮影中に高解像度モードボタンを押したときに記録された動画データ列を模式的に示した図。
【図５】動画像データ処理システムの動作の動画データ列を模式的に示した図。
【図６】パソコンのハード構成を示したブロック図。
【符号の説明】
【００６３】
２・・・ デジタルカメラ、１４・・・ モード設定ダイヤル、４８・・・ 圧縮／伸張部、７６・・・ ＣＰＵ、７８・・・ システムメモリ、９４・・・ メモリカード、１００・・・ 高解像度モードボタン、１０２・・・ コントローラ、１０４・・・ 解像度変換部、２００・・・ パソコン、２１０・・・ ＣＰＵ、２１２・・・ 主メモリ、２１４・・・ ハードディスク装置
【図１】
2005117114.tif 000003
【図２】
2005117114.tif 000004
【図３】
2005117114.tif 000005
【図４】
2005117114.tif 000006
【図５】
2005117114.tif 000007
【図６】
2005117114.tif 000008